(57)【特許請求の範囲】
【請求項１】
合成樹脂製の上枠、下枠、左右の縦枠を方形状に連結した合成樹脂製の枠体に、合成樹脂製の上框、下框、戸当り框、召合せ框を方形状に連結した框体にガラスを装着した合成樹脂製の内障子、外障子を引き違いに建て込み、
上枠、下枠、左右の縦枠は、本体と、その本体の内面に設けた室内側内向突部、内障子用内向突部、中間内向突部、外障子用内向突部を備え、前記室内側内向突部と内障子用内向突部との間に、内向きの第１溝、前記内障子用内向突部と中間内向突部との間に、第２溝、前記中間内向突部と外障子用内向突部との間に、第３溝を有し、
前記各室内側内向突部に内障子用の室内側上横・下横・縦水密材が室外側に向けて装着され、前記中間内向突部の室内側部に内障子用の室外側上横・下横・縦水密材が室内側に向けて装着され、
前記中間内向突部の室外側部に外障子用の室内側上横・下横・縦水密材が室外側に向けてそれぞれ装着され、
前記上枠の第１溝部に補助上風止板を設けると共に、前記上枠の中間内向突部の内・外障子の召合せ部と対向した部分を切断して除去し、その除去した部分に主上風止板を第２溝部と第３溝部に亘って設け、
前記下枠の第１溝部に補助下風止板を設けると共に、前記下枠の中間内向突部の内・外障子の召合せ部と対向した部分を切断して除去し、その除去した部分に主下風止板を第２溝部と第３溝部に亘って設け、
前記内障子、外障子の上框、下框、戸当り框は、本体と、その本体の見付け方向外端面に設けた室内側外向突部、室外側外向突部を備え、その室内側外向突部と室外側外向突部との間に外向きの溝部を有し、
前記外障子の上框、下框、戸当り框の各室外側外向突部に外障子用の室外側上横・下横・縦水密材が室内側に向けてそれぞれ装着され、
前記内障子は、上枠・下枠の内障子用内向突部に沿って移動自在で、その召合せ框の上部、下部に内障子用上連続部材、内障子用下連続部材を取り付け、
内障子閉じ状態で、その召合せ框と上枠の本体の内面との間を主上風止板と補助上風止板で水密し、召合せ框と下枠の本体の内面との間を主下風止板と補助下風止板で水密し、前記内障子用の室内側上横・下横・縦水密材が内障子の室内側外向突部に、内障子用の室外側上横・下横・縦水密材が内障子の室外側外向突部にそれぞれ接して第１溝部と外向きの溝部と第２溝部が連通して密閉された空気層を形成し、かつ内障子用の室内側下横水密材と外障子用の室内側下横水密材が、補助下風止板と内障子用下連続部材と主下風止板を介して連続すると共に、内障子用の室内側上横水密材と外障子用の室内側上横水密材が、補助上風止板と内障子用上連続部材と主上風止板を介して連続するようにし、
前記外障子は、上枠・下枠の外障子用内向突部に沿って移動自在で、その召合せ框の上部、下部に外障子用上連続部材、外障子用下連続部材を取り付け、
外障子閉じ状態で、その召合せ框と上枠の本体内面との間を主上風止板で水密し、召合せ框と下枠の本体の内面との間を主下風止板で水密し、前記外障子用の室内側上横・下横・縦水密材が外障子の室内側外向突部に、外障子用の室外側上横・下横・縦水密材が外障子用内向突部にそれぞれ接して第３溝部と外向きの溝部が連通して密閉された空気層を形成し、かつ内障子用の室外側下横水密材と外障子用の室外側下横水密材が外障子用下連続部材と主下風止板を介して連続すると共に、内障子用の室外側上横水密材と外障子用の室外側上横水密材が外障子用上連続部材と主上風止板を介して連続するようにしたことを特徴とする合成樹脂製引違いサッシ。
【発明の詳細な説明】
【技術分野】
【０００１】
本発明は、合成樹脂製の枠体に合成樹脂製の内障子、外障子を引き違いに建て込んだ合成樹脂製引違いサッシに関する。
【背景技術】
【０００２】
従来から、合成樹脂製の上枠、下枠、左右の縦枠を方形状に連結した枠体に、合成樹脂製の上框、下框、戸当り框、召合せ框を方形状に連結した框体にガラスを装着した内障子、外障子を引き違いに建て込んだ合成樹脂製引違いサッシが種々提案されている。
この合成樹脂製引違いサッシにおいては、枠体と内障子、外障子との間から雨水等が浸入しないようにしている。
【０００３】
例えば、特許文献１に開示した合成樹脂製引違いサッシにおいては、上枠と下枠と左右の縦枠を、その内面に内障子用の内向突部と外障子用の内向突部を有するものとし、内障子、外障子の各框を、その外面に室内側外向突部、室外側外向突部を有し、その室内側外向突部と室外側外向突部に水密材をそれぞれ装着し、この水密材を前記内向突部の室内側面と室外側面とに圧着して枠体と内障子、外障子との間を水密している。
【特許文献１】特開２００５−２６４４９５号公報
【発明の開示】
【発明が解決しようとする課題】
【０００４】
前述した従来の合成樹脂製引違いサッシであると、内障子用の内向突部と内障子の上框、下框、戸当り框の室内側外向突部、室外側外向突部との間に密閉された空気層が形成され、外障子用の内向突部と外障子の上框、下框、戸当り框の室内側外向突部、室外側外向突部との間に密閉された空気層が形成される。
この各空気層によって室内と室外とに亘って熱が伝わることを低減できるが、上枠、下枠、縦枠の内面と各室内側外向突部、各室外側外向突部とは離隔して隙間を有し、その隙間を通って室内と室外とに亘って熱が伝わるので、上枠、下枠、縦枠（枠体）の見えがかり部分（障子よりも室内側部分）に結露が発生する場合がある。
【０００５】
すなわち、前述した従来の合成樹脂製引違いサッシを下枠部分のみを概略的に図示すると図８に示すようになる。
前記下枠１の内面１ａに設けた内障子用の内向突部２、外障子用の内向突部３に、内障子、外障子の下框４の室内側外向突部５、室外側外向突部６に設けた水密材７が接し、各内向突部２，３と各室内・外側外向突部５，６との間に空気層８を形成するが、各下框４の室内・外側外向突部５，６と下枠１の内面１ａとが離隔して隙間を有しているので、その隙間を通って室内と室外とに亘って熱が伝わるので、内障子、外障子よりも室内側部分に結露が発生する場合がある。
【０００６】
前記内障子と対向した部分においては、室外の空気が前記内障子の下框４の室外側外向突部６と下枠１の内面１ａとの間の隙間を通って内障子用の内向突部２の室外側面に触れ、この内向突部２の室内側面には室内の空気が触れるので、その内向突部２の室内側部分（内障子よりも室内側部分）に結露が発生することがある。
前記外障子と対向した部分においては、室外の空気が前記外障子の下框４の室外側外向突部６と下枠１の内面１ａとの間の隙間を通って外障子用の内向突部３の室外側面に触れ、この内向突部３の室内側面には室内の空気が触れるので、その内向突部３の室内側部分（外障子よりも室内側部分）に結露が発生することがある。
【０００７】
本発明の目的は、枠体内面と障子との間の隙間を通って室内と室外とに亘って熱が伝わり難くして、枠体の障子よりも室内側部分に結露が発生することがないようにした合成樹脂製引違いサッシとすることである。
【課題を解決するための手段】
【０００８】
本発明は、合成樹脂製の上枠、下枠、左右の縦枠を方形状に連結した合成樹脂製の枠体に、合成樹脂製の上框、下框、戸当り框、召合せ框を方形状に連結した框体にガラスを装着した合成樹脂製の内障子、外障子を引き違いに建て込み、
上枠、下枠、左右の縦枠は、本体と、その本体の内面に設けた室内側内向突部、内障子用内向突部、中間内向突部、外障子用内向突部を備え、前記室内側内向突部と内障子用内向突部との間に、内向きの第１溝、前記内障子用内向突部と中間内向突部との間に、第２溝、前記中間内向突部と外障子用内向突部との間に、第３溝を有し、
前記各室内側内向突部に内障子用の室内側上横・下横・縦水密材が室外側に向けて装着され、前記中間内向突部の室内側部に内障子用の室外側上横・下横・縦水密材が室内側に向けて装着され、
前記中間内向突部の室外側部に外障子用の室内側上横・下横・縦水密材が室外側に向けてそれぞれ装着され、
前記上枠の第１溝部に補助上風止板を設けると共に、前記上枠の中間内向突部の内・外障子の召合せ部と対向した部分を切断して除去し、その除去した部分に主上風止板を第２溝部と第３溝部に亘って設け、
前記下枠の第１溝部に補助下風止板を設けると共に、前記下枠の中間内向突部の内・外障子の召合せ部と対向した部分を切断して除去し、その除去した部分に主下風止板を第２溝部と第３溝部に亘って設け、
前記内障子、外障子の上框、下框、戸当り框は、本体と、その本体の見付け方向外端面に設けた室内側外向突部、室外側外向突部を備え、その室内側外向突部と室外側外向突部との間に外向きの溝部を有し、
前記外障子の上框、下框、戸当り框の各室外側外向突部に外障子用の室外側上横・下横・縦水密材が室内側に向けてそれぞれ装着され、
前記内障子は、上枠・下枠の内障子用内向突部に沿って移動自在で、その召合せ框の上部、下部に内障子用上連続部材、内障子用下連続部材を取り付け、
内障子閉じ状態で、その召合せ框と上枠の本体の内面との間を主上風止板と補助上風止板で水密し、召合せ框と下枠の本体の内面との間を主下風止板と補助下風止板で水密し、前記内障子用の室内側上横・下横・縦水密材が内障子の室内側外向突部に、内障子用の室外側上横・下横・縦水密材が内障子の室外側外向突部にそれぞれ接して第１溝部と外向きの溝部と第２溝部が連通して密閉された空気層を形成し、かつ内障子用の室内側下横水密材と外障子用の室内側下横水密材が、補助下風止板と内障子用下連続部材と主下風止板を介して連続すると共に、内障子用の室内側上横水密材と外障子用の室内側上横水密材が、補助上風止板と内障子用上連続部材と主上風止板を介して連続するようにし、
前記外障子は、上枠・下枠の外障子用内向突部に沿って移動自在で、その召合せ框の上部、下部に外障子用上連続部材、外障子用下連続部材を取り付け、
外障子閉じ状態で、その召合せ框と上枠の本体内面との間を主上風止板で水密し、召合せ框と下枠の本体の内面との間を主下風止板で水密し、前記外障子用の室内側上横・下横・縦水密材が外障子の室内側外向突部に、外障子用の室外側上横・下横・縦水密材が外障子用内向突部にそれぞれ接して第３溝部と外向きの溝部が連通して密閉された空気層を形成し、かつ内障子用の室外側下横水密材と外障子用の室外側下横水密材が外障子用下連続部材と主下風止板を介して連続すると共に、内障子用の室外側上横水密材と外障子用の室外側上横水密材が外障子用上連続部材と主上風止板を介して連続するようにしたことを特徴とする合成樹脂製引違いサッシである。
【発明の効果】
【００１０】
本発明によれば、内障子と対向した部分においては、中間内向突部に室外の空気が触れるが、その室外の空気の熱は第２溝部、外向きの溝部、第１溝部より成る空気層で断熱され、室内側内向突部にはほとんど伝わることがない。
したがって、枠体の内障子よりも室内側部分に結露が発生しない。
また、外障子と対向した部分においては、外障子用内向突部に室外の空気が触れるが、その室外の空気の熱は第３溝部、外向き溝部より成る空気層で断熱され、中間内向突部にほとんど伝わることがない。
したがって、枠体の外障子よりも室内側部分に結露が発生することがない。
【発明を実施するための最良の形態】
【００１１】
図１に示すように、枠体１０は、合成樹脂製の上枠１１と下枠１２と左右の縦枠１３を方形状に連結した合成樹脂製である。
前記枠体１０の室内側寄りに内障子２０、室外側寄りに外障子３０が面内方向に移動自在で引き違いにそれぞれ建て込んである。
前記内障子２０は、合成樹脂製の上框２１、下框２２、戸当り框２３、召合せ框２４を方形状に連結した框体２５内にガラス２６を装着した合成樹脂製である。
前記外障子３０は、合成樹脂製の上框３１、下框３２、戸当り框３３、召合せ框３４を方形状に連結した框体３５内にガラス３６を装着した合成樹脂製である。
これによって、合成樹脂製引違いサッシとしてある。
【００１２】
前記上枠１１、下枠１２、左右の縦枠１３は、図２、図３に示すように、本体４０と、その本体４０の内面４０ａに室内外側方向に間隔を置いて一体的に設けた室内側内向突部４１、内障子用内向突部４２、中間内向突部４３、外障子用内向突部４４を備え、前記室内側内向突部４１と内障子用内向突部４２との間に第１溝部４５を形成し、内障子用内向突部４２と中間内向突部４３との間に第２溝部４６を形成し、中間内向突部４３と外障子用内向突部４４との間に第３溝部４７を形成し、上枠１１、下枠１２、縦枠１３は同一断面形状の形材を用いている。
前記本体４０の内面４０ａとは、本体４０の上下方向、左右方向（見付け方向）における障子側の面である。
【００１３】
前記内・外障子２０，３０の上框２１，３１、下框２２，３２、戸当り框２３，３３は、図２、図３に示すように、本体５０と、その本体５０の見付け方向外端面５０ａに一体的に設けた室内側外向突部５１と室外側外向突部５２を備え、その室内側外向突部５１と室外側外向突部５２との間に外向きの溝部５３を形成している。
前記本体５０の見付け方向内端面５０ｂには内向支持部５４と押縁５５が設けられてガラス装着部５６としてある。
前記見付け方向とは上下方向、左右方向に向かう方向で、外端部はガラスとは反対側、内端部はガラス側である。
前記各上框２１，３１、下框２２，３２、戸当り框２３，３３は同一断面形状の形材を用いている。
【００１４】
前記各召合せ框２４，３４は、前記各框（上框、下框、戸当り框）における室内側外向突部５１と室外側外向突部５２を備えていない本体５０と同様な断面形状で形成され、この召合せ框２４，３４の見付け寸法は上框２１，３１、下框２２，３２、戸当り框２３，３３の見付け寸法よりも小さい。
このようにした場合には、上框２１，３１、下框２２，３２の本体５０の長手方向端面と召合せ框２４，３４の長手方向の端面をそれぞれ４５度の傾斜面とし、その端面同士を突き合わせて熱溶着で連結する。
なお、召合せ框２４，３４を上框、下框、戸当り框と同一断面形状の形材としても良い。
【００１５】
前記内障子２０は、下框２２に取付けた戸車２７を下枠１２の内障子用内向突部４２に設けた下レール４８に接して枠体１０内に建て込まれ、前記内障子２０の上框２１、下框２２の室内側外向突部５１、室外側外向突部５２は上枠１１、下枠１２の第１溝部４５、第２溝部４６にそれぞれ入り込む。
この内障子２０を閉じることで、戸当り框２３の室内側外向突部５１、室外側外向突部５２が一方の縦枠１３の第１溝部４５、第２溝部４６にそれぞれ入り込む。
【００１６】
前記外障子３０は、下框３２に取付けられた戸車３７を外障子用内向突部４４に設けた下レール４９に接して枠体１０内に建て込まれ、その上框３１、下框３２の室内側外向突部５１が上枠１１、下枠１２の第３溝部４７に入り込む。
この外障子３０を閉じることで戸当り框３３の室内側外向突部５１が他方の縦枠１３の第３溝部４７内に入り込む。
【００１７】
次に、枠体１０と内障子２０との間の水密、気密について説明する。
枠体１０の上枠１１、下枠１２、一方の縦枠１３に、内障子２０の上框２１、下框２２、戸当り框２３の室内側部、室外側部に接する内障子用の室内側上横・下横・縦水密材６０，６１，６２と室外側上横・下横・縦水密材６３，６４，６５をそれぞれ装着し、内障子閉じ状態で、上枠１１の内面と上框２１との間、下枠１２の内面と下框２２との間、一方の縦枠１３の内面と戸当り框２３との間に密閉された空気層をそれぞれ形成する。
【００１８】
このようであるから、枠体１０の内面（上枠１１、下枠１２、一方の縦枠１３の内面）と内障子２０の上框２１、下框２２、戸当り框２３との間に密閉された空気層があるので、枠体１０の内面と内障子２０の上框２１、下框２２、戸当り框２３との間の隙間を通して室内と室外とに亘って熱が伝わり難く、枠体１０の内障子２０よりも室内側部分に結露が発生することがない。
【００１９】
前述の枠体１０と内障子２０との間の水密、気密について詳細に説明する。
上枠１１、下枠１２、一方の縦枠１３の室内側内向突部４１には内障子用の室内側上横水密材６０、室内側下横水密材６１、室内側縦水密材６２が連続して室外側に向けて装着してある。
前記上枠１１、下枠１２、一方の縦枠１３の中間内向突部４３の室内側部には、内障子用の室外側上横水密材６３、室外側下横水密材６４、室外側縦水密材６５が連続して室内側に向けてそれぞれ装着してある。
【００２０】
そして、内障子２０を閉じることで、上框２１の室内側外向突部５１、室外側外向突部５２が室内側上横水密材６０、室外側上横水密材６３にそれぞれ接する。
これによって、上枠１１の第１溝部４５、上框２１の溝部５３、上枠１１の第２溝部４６が連通して密閉された室内側の上空気層Ａを形成する。
つまり、上枠１１の内面と上框２１との間に密閉された空気層を形成する。
【００２１】
前記下框２２の室内側外向突部５１、室外側外向突部５２が室内側下横水密材６１、室外側下横水密材６４にそれぞれ接する。
これによって、下枠１２の第１溝部４５、下框２２の溝部５３、下枠１２の第２溝部４６が連通して密閉された室内側の下空気層Ｂを形成する。
つまり、下枠１２の内面と下框２２との間に密閉された空気層を形成する。
【００２２】
前記戸当り框２３の室内側外向突部５１、室内側外向突部５２が室内側縦水密材６２、室外側縦水密材６５にそれぞれ接する。
これによって、一方の縦枠１３の第１溝部４５、戸当り框２３の溝部５３、一方の縦枠１３の第２溝部４６が連通して密閉された室内側の縦空気層Ｃを形成する。
つまり、一方の縦枠１３の内面と戸当り框２３との間に密閉された空気層を形成する。
【００２３】
前述のように構成することで、内障子２０と対向した部分においては、上枠１１、下枠１２、一方の縦枠１３の中間内向突部４３に室外の空気が触れるが、その室外の空気の熱は室内側の上・下・縦空気層Ａ，Ｂ，Ｃで断熱されて室内側外向突部５１、室内側内向突部４１にほとんど伝わることがない。
したがって、枠体１０の内障子２０よりも室内側部分（室内側内向突部４１）に結露が発生することがない。
【００２４】
次に、枠体１０と外障子３０との間の水密、気密について説明する。
枠体１０の上枠１１、下枠１２、他方の縦枠１３に、外障子３０の上框３１、下框３２、戸当り框３３の室内側部に接する外障子用の室内側上・下・縦水密材７０，７１，７２を装着する。
前記上框３１、下框３２、戸当り框３３の室外側部に、上枠１１、下枠１２、他方の縦枠１３に接する外障子用の室外側上・下・縦水密材７３，７４，７５を装着する。
これによって、上枠１１の内面と上框３１との間、下枠１２の内面と下框３２との間、他方の縦枠１３の内面と戸当り框３３との間に、密閉された空気層をそれぞれ形成する。
【００２５】
このようであるから、枠体１０の内面（上枠１１、下枠１２、他方の縦枠１３の内面）と外障子３０の上框３１、下框３２、戸当り框３３との間に密閉された空気層があるので、枠体１０の内面と外障子３０の上框３１、下框３２、戸当り框３３との間の隙間を通して室内と室外とに亘って熱が伝わり難く、枠体１０の外障子３０よりも室内側部分に結露が発生することがない。
【００２６】
前述の枠体１０と外障子３０との間の水密、気密について詳細に説明する。
上枠１１、下枠１２、一方の縦枠１３の中間内向突部４３の室外側部には外障子用の室内側上横水密材７０、室内側下横水密材７１、室内側縦水密材７２が連続して室外側に向けて装着してある。
前記上框３１、下框３２、戸当り框３３の室外側外向突部５２には、外障子用の室外側上横水密材７３、室外側下横水密材７４、室外側縦水密材７５が連続して室内側に向けてそれぞれ装着してある。
【００２７】
そして、外障子３０を閉じることで、上框３１の室内側外向突部５１、上枠１１の外障子内向突部４４が室内側上横水密材７０、室外側上横水密材７３にそれぞれ接する。
これによって、上枠１１の第３溝部４７と上框３１の溝部５３が連通して密閉された室外側の上空気層Ｄを形成する。
つまり、上枠１１の内面と上框３１との間に密閉された空気層を形成する。
【００２８】
前記下框３２の室内側外向突部５１、下枠１２の外障子用内向突部４４が室内側下横水密材７１、室外側下横水密材７４にそれぞれ接する。
これによって、下枠１２の第３溝部４７と下框３２の溝部５３が連通して密閉された室外側の下空気層Ｅを形成する。
つまり、下枠１２の内面と下框３２との間に密閉された空気層を形成する。
【００２９】
前記戸当り框３３の室内側外向突部５１、他方の縦枠３３の外障子用内向突部４４が室内側縦水密材７２、室外側縦水密材７５にそれぞれ接する。
これによって、他方の縦枠１３の第３溝部４７と戸当り框３３の溝部５３が連通して密閉された室外側の縦空気層Ｆを形成する。
つまり、一方の縦枠１３の内面と戸当り框３３との間に密閉された空気層を形成する。
【００３０】
内障子２０の召合せ框２４と外障子３０の召合せ框３４との間（つまり、召合せ部）は、内障子用召し合わせ水密材６６、外障子用の召合せ水密材７６で水密、気密される。
【００３１】
前述のように構成することで、外障子３０と対向した部分においては、上枠１１、下枠１２、他方の縦枠１３の外障子用内向突部４４に室外の空気が触れるが、その室外の空気の熱は室外側の上・下・縦空気層Ｄ，Ｅ，Ｆで断熱されて中間内向突部４３にほとんど伝わることがない。
したがって、枠体１０の外障子３０よりも室内側部分（中間内向突部４３）に結露が発生することがない。
【００３２】
次に、内障子２０の召合せ框２４、外障子３０の召合せ框３４と上枠１１、下枠１２との間の水密、気密について説明する。
図４に示すように、内障子用の室内側上横水密材６０、室内側下横水密材６１の戸当り側端部６０ａ，６１ａは室内側縦水密材６２の上下端部と連続してほぼコ字形状で、召合せ側端部６０ｂ，６１ｂは不連続である。
内障子用の室外側上横水密材６３、室外側下横水密材６４の戸当り側端部６３ａ，６４ａは室外側縦水密材６５の上下端部と連続してほぼコ字形状で、召合せ側端部６３ｂ，６４ｂは不連続である。
外障子用の室内側上横水密材７０、室内側下横水密材７１の戸当り側端部７０ａ，７１ａは室内側縦水密材７２の上下端部と連続してほぼコ字形状で、召合せ側端部７０ｂ，７１ｂは不連続である。
外障子用の室外側上横水密材７３、室外側下横水密材７４の戸当り側端部７３ａ，７４ａは室外側縦水密材７５の上下端部と連続してほぼコ字形状で、召合せ側端部７３ｂ，７４ｂは不連続である。
【００３３】
前記内・外障子用の室内側、室外側上横水密材の召合せ側端部を上風止板１４、内障子用上連続部材２７、外障子用上連続部材３７でそれぞれ連続していると共に、各召合せ框２４，３４の上部と上枠１１との間を水密、気密している。
前記内・外障子用の室内側・室外側下横水密材の召合せ側端部を下風止板１５、内障子用下連続部材２８、外障子用下連続部材３８でそれぞれ連続していると共に、各召合せ框２４，３４の下部と下枠１２との間を水密、気密している。なお、図４では各部材を概略的に図示してあり、図５〜図７に示す具体形状とは相違している。
このようであるから、各水密材が四周連続し、枠体１０と内・外障子２０，３０との間の水密性が優れると共に、室内と室外の断熱ラインが連続する。
【００３４】
次に、前記下風止板１５、内・外障子用下連続部材２８，３８の詳細を図５〜図７に基づいて説明する。
前記下風止板１５は、第１・第２主下風止板１５−１，１５−２と、補助下風止板１５−３を備えている。
前記下枠１２の中間内向突部４３の長手方向中間部、つまり内・外障子の召合せ框２４，３４（召合せ部）と対向した部分を切断して除去し、その除去した部分４３ａの下枠１２の内面（本体４０の内面４０ａ）に第１・第２主下風止板１５−１，１５−２を取付ける。
この第１・第２主下風止板１５−１，１５−２は、図６に示すように、下枠１２の内障子用内向突部４２の室外側面と外障子用内向突部４４の室内側面とに接して第２・第３溝部４６，４７を閉塞する基部１５ａと、この基部１５ａと一体的に連続した立上り部１５ｂで凸形状である。
前記第１主下風止板１５−１に外障子用の室内側下横水密材７１の召合せ側端部７１ｂが接し、第２主下風止板１５−２に内障子用の室外側下横水密材６４の召合せ側端部６４ｂが接している。
前記補助下風止板１５−３は、下枠１２の第１溝部４５内に取付けられ、前記第１主下風止板１５−１の基部１５ａとほぼ同一高さで、その第１溝部４５の召合せ部と対向した部分を閉塞している。
【００３５】
前記内・外障子用の室内側下横水密材６１，７１は、内障子用内向突部４２を境として室内側と室外側に位置していると共に、下枠１２の各内向突部はほぼ同一高さ、好ましくは同一高さであると共に、第１主下風止板１５−１と補助下風止板１５−３は内障子用内向突部４２で不連続であるから、前記内・外障子用の室内側下横水密材６１，７１は下風止板１５で連続していない。
そこで、内障子２０の召合せ框２４の見付け方向外端面２４ａの下部に前述の内障子用下連続部材２８を取付け、この内障子用下連続部材２８を第１主下風止板１５−１と補助下風止板１５−３に接すると共に、内障子用の室外側下横水密材６１の召合せ側端部６１ｂに接する。
【００３６】
これによって、内障子用の室内側下横水密材６１が、内障子用下連続部材２８、補助下風止板１５−３、第１主下風止板１５−１を介して外障子用の室内側下横水密材７１と連続する。
【００３７】
前記内障子用の室外側下横水密材６４と外障子用の室外側下横水密材７４は外障子用内向突部４４を境として室内側と室外側とに位置していると共に、外障子用の室外側下横水密材７４は下框３２に装着してあるので、前述の第２主下風止板１５−２で連続していない。
そこで、外障子３０の召合せ框３４の見付け方向外端面３４ａの下部に外障子用下連続部材３８を取り付け、この外障子用下連続部材３８を外障子用の室外側下横水密材７４に接すると共に、第２主下風止板１５−２に接する。
【００３８】
これによって、内障子用の室外側下横水密材６４が、第２主下風止板１５−２、外障子用下連続部材３８を介して外障子用の室外側下横水密材７４と連続する。
なお、上風止板１４、内・外障子用上連続部材２７，３７は前述の下風止板１５、内・外障子用下連続部材２８，３８で同一で、内・外障子用の室内・外側上横水密材を連続する。
【００３９】
前記内障子用下連続部材２８、外障子用下連続部材３８は、図６、図７に示すように、下向凹部２８ａ，３８ａを有し、その下向凹部２８ａ，３８ａに内障子用内向突部４２、外障子用内向突部４４が入り込み、その各内向突部４２，４４を跨ぐようにして取付けられる。
前記各下向凹部２８ａ，３８ａには各内向突部の上部と下レール４８，４９に接するヒレ片２８ｂ，３８ｂが設けてあり、内・外障子用下連続部材２８，２９と内・外障子用内向突部４２，４４との間を水密、気密している。
【００４０】
次に、下枠１２に溜まった雨水等の排水について説明する。
前記下枠１２は図２と図５に示すように、その本体４０は、上面板４０ｂと下面板４０ｃと室内側縦板４０ｄと室外側縦板４０ｅで中空部４０ｆを有する断面形状で、その上面板４０ｂの上面が本体４０の内面４０ａである。
前記上面板４０ｂの第３溝部４７を形成する部分における外障子３０と対向した部分には第１排水穴８０を形成し、外障子３０と下枠１２の水密部を越えて室内側に浸入した雨水等が第３溝部４７、第１排水穴８０から中空部４０ｆ内に落下し、下枠１２の本体４０の室外側縦板４０ｅに形成した排水部８１から室外に排水される。
この排水部８１は排水孔８１ａに排水弁８１ｂを設けたものである。
【００４１】
前記下枠１２の本体４０の上面板４０ｂの第２溝部４６を形成する部分における内障子２０と対向した部分には第２排水穴８２が形成されている。
前記内障子用内向突部４２における一方の縦枠１３寄りに切欠部８３が形成され、この切欠部８３によって第１溝部４５と第２溝部４６が連通し、前記第２排水穴８２は切欠部８３の室外側寄りに位置している。
このようであるから、内障子２０よりも室外側寄りの第２溝部４６内に浸入した雨水等は第２排水穴８２から下枠１２の本体４０の中空部４０ｆに落下し、排水部８１から室外に排水される。
なお、この第２溝部４６内に浸入した雨水等は、内障子用内向突部４２の切欠部８３と対向した第２排水穴８２から中空部４０ｆに落下するので、その第２溝部４６内に浸入した雨水等が前述の切欠部８３から第１溝部４５に流れ込むことはない。
また、内障子２０と下枠１２との水密部を越えて室内側に浸入した雨水等は第１溝部４５内に流れ込む。その雨水等は前述の内障子用内向突部４２の切欠部８３を通り、第２排水穴８２から下枠１２の本体４０の中空部４０ｆに落下し、排水部８１から室外に排水される。
【００４２】
このようであるから、内・外障子２０，３０と下枠１２との間の水密部を越えて室外側に侵入した雨水等は、第１・第２・第３溝４５，４６，４７に溜まることがなく、本体４０の中空部４０ｆから室外に排水される。
したがって、下枠１２の上面（各内向突部の上面）をフラットなバリアフリータイプとして、その下枠１２の室内側表面に雨水等が見えないようにできる。
【００４３】
前記内・外障子２０，３０の召合せ框２４，３４と下枠１２との間、つまり召合せ部からの雨水等の浸入について説明する。
前記下枠１２の本体４０の上面板４０ｂにおける第１主下風止板１５−１と第２主下風止板１５−２との間に第３排水穴８４を形成する。
内・外障子２０，３０の召合せ部の下面、この実施の形態では、内障子２０の下框２２の室外側外向突部５２の室外側面、下面と外障子３０の下框３２の本体５０の室内側部下面、室内側外向突部５１の室内側面、下面が前述の第２主下風止板１５−２に接して水密しているが、その水密部を越えて浸入した雨水等は第３排水穴８４で下枠１２の本体４０の中空部４０ｆに落下し、排水部８１から室外に排水される。
この第３排水穴８４から中空部４０ｆに落下しない雨水等がある場合には、前述と同様に内・外障子２０，３０の召合せ部の下面と第１主下風止板１５−１との接している水密部で室内側に浸入しないようにする。
【００４４】
前述のようにして内・外障子２０，３０よりも室内側に侵入した雨水等を下枠１２の本体４０の中空部４０ｆを通して室外に排水するようにしても、何らかの事情で下枠１２の第１溝部４５における外障子３０と対向した部分に雨水等が浸入することがある。
そこで、図５に示すように下枠１２の本体４０の上面板４０ｂの第２溝部４６を形成する部分における他方の縦枠１３寄りに第４排水穴８５を形成して本体４０の中空部４０ｆに連通する。
前記内障子用内向突部４２における他方の縦枠１３寄りに切欠部８６を形成し、この切欠部８６、第４排水穴８５を形成した部分に内障子ストッパー９０を取付ける。
この内障子ストッパー９０は、第２溝部４６内に設けられ第４排水穴８５を覆う本体９１と、その本体９１に設けた前記切欠部８６に嵌合する突部９２を有し、その突部９２と本体９１とに連続して第１溝部４５を前記第４排水穴８５に連通する排水用通路９３を有する。
【００４５】
これによって、第１溝部４５の外障子３０と対向した部分に浸入した雨水等を排水用通路９３を通って第４排水穴８５から下枠１２の本体４０の中空部４０ｆ内に落下し、排水部８１から室外に排水できる。
また、突部９２を切欠部８６に嵌合することで内障子ストッパー９０を位置決めできると共に、内障子用内向突部４２の切欠端面を突部９２で覆って見えないようにできる。
なお、前記排水用通路９３にはフィルター（図示せず）が設けてある。
【図面の簡単な説明】
【００４６】
【図１】本発明の実施の形態を示す合成樹脂製引違いサッシの内観図である。
【図２】図１の縦断面図である。
【図３】図１の横断面図である。
【図４】各水密材の装着状態を示す斜視図である。
【図５】内・外障子を取り外した枠体の横断面図である。
【図６】図３のＸ−Ｘ断面図である。
【図７】図３のＹ−Ｙ断面図である。
【図８】従来技術の下枠部分の断面図である。
【符号の説明】
【００４７】
１０…枠体、１１…上枠、１２…下枠、１３…縦枠、２０…内障子、２１…上框、２２…下框、２３…戸当り框、２４…召合せ框、２５…框体、２６…ガラス、３０…外障子、３１…上框、３２…下框、３３…戸当り框、３４…召合せ框、３５…框体、３６…ガラス、４０…本体、４０ａ…内面、４１…室内側内向突部、４２…内障子用内向突部、４３…中間内向突部、４４…外障子用外向突部、４５…第１溝部、４６…第２溝部、４７…第３溝部、５０…本体、５１…室内側外向突部、５２…室外側外向突部、５３…外向きの溝部、６０…室内側上横水密材、６１…室内側下横水密材、６２…室内側縦水密材、６３…室外側上横水密材、６４…室外側下横水密材、６５…室外側縦水密材、７０…室内側上横水密材、７１…室内側下横水密材、７２…室内側縦水密材、７３…室外側上横水密材、７４…室外側下横水密材、７５…室外側縦水密材。
【図１】
0004438009.tif 000002
【図２】
0004438009.tif 000003
【図３】
0004438009.tif 000004
【図４】
0004438009.tif 000005
【図５】
0004438009.tif 000006
【図６】
0004438009.tif 000007
【図７】
0004438009.tif 000008
【図８】
0004438009.tif 000009